【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
ポリマー樹脂又はブレンドの調製方法であって、
（a）少なくとも２種の異なるポリマー材料と１種以上のイオン性液体とを混合する工程であって、前記イオン性液体が、１種以上のカチオン及び１種以上のアニオンを含む工程及び
（b）非溶媒を前記工程(a)の組成物に添加する工程であって、前記非溶媒は、前記イオン性液体を溶解するが前記ポリマー材料を溶解しない工程、
を含み、前記ポリマー樹脂又はブレンドが提供されることを特徴とする方法。
【請求項２】
前記工程(a)が、約１００℃〜約１５０℃にマイクロ波によって加熱する工程を更に含む請求項１に記載の方法。
【請求項３】
前記樹脂又はブレンドを前記イオン性液体から分離する工程を更に含む請求項１に記載の方法。
【請求項４】
少なくとも１種の前記ポリマー材料が、多糖、ポリエステル、ポリアミド、ポリウレタン、ポリシロキサン、フェノールポリマー、ポリスルフィド、ポリアセタール、ポリオレフィン、アクリレート、メタクリレート又はジエンからなる請求項１に記載の方法。
【請求項５】
少なくとも１種の前記ポリマー材料が、ヘミセルロース、澱粉、ポリ-2-ヒドロキシメチルメタクリレート、ポリアミド、ポリエステル、ポリイミドアミド、ポリベンゾイミド、アラミド、ポリイミド、ポリビニルアルコール、ポリアニリン、ポリエチレングリコール、ポリアクリロニトリル、末端にアミン基を有するポリエチレンオキシド、直鎖ポリエチレンイミン、又は分岐ポリエチレンイミンからなる請求項１に記載の方法。
【請求項６】
少なくとも１種の前記ポリマー材料が、セルロースからなる請求項１に記載の方法。
【請求項７】
前記ポリマー材料の数が、２でありかつ該ポリマー材料の一方が、セルロースからなりかつ他方のポリマー材料が、ポリアクリロニトリル、PHEMA、ポリビニルアルコール、ポリアニリン又はポリエチレングリコールからなる請求項１に記載の方法。
【請求項８】
前記イオン性液体が、実質的に水又は窒素含有塩基を含まない請求項１記載の方法。
【請求項９】
前記イオン性液体が、約２００℃未満の融点を有する請求項１に記載の方法。
【請求項１０】
前記カチオンが、ピラゾール、チアゾール、イソチアゾール、アザチオゾール、オキソチアゾール、オキサジン、オキサゾリン、オキサザボロール、ジチオゾール、トリアゾール、セレノゾール、オキサホスホール、ピロール、ボロール、フラン、チオフェン、ホスホール、ペンタゾール、インドール、インドリン、オキサゾール、イソオキサゾール、イソトリアゾール、テトラゾール、ベンゾフラン、ジベンゾフラン、ベンゾチオフェン、ジベンゾチオフェン、チアジアゾール、ピリジン、ピリミジン、ピラジン、ピリダジン、ピペラジン、ピペリジン、モルホロン、ピラン、アノリン、フタラジン、キナゾリン、キノキサリン、ピロリジン、又はその組み合わせからなる請求項１に記載の方法。
【請求項１１】
前記カチオンが、イミダゾリウムカチオンである請求項１に記載の方法。
【請求項１２】
前記カチオンが、キノリニウム又はイソキノリニウムカチオンである請求項１に記載の方法。
【請求項１３】
前記カチオンが、1,3-ジ-(C1-C6アルキル又はC1-C6アルコキシアルキル)-イミダゾリウムである請求項１に記載の方法。
【請求項１４】
前記カチオンが、1-(C1-C6アルキル)-3-メチル-イミダゾリウムである請求項１に記載の方法。
【請求項１５】
前記アニオンが、ハロゲン、BF4-、PF6-、AsF6-、SbF6-、NO2-、NO3-、SO42-、BR4-、置換又は未置換のカルボラン、置換又は未置換のメタロカルボラン、ホスフェート、ホスファイト、ポリオキソメタレート、置換又は未置換のカルボキシレート、トリフレート又は非配位アニオン（ここで、Rは、水素、アルキル、置換アルキル、シクロアルキル、置換シクロアルキル、ヘテロアルキル、ヘテロシクロアルキル、置換ヘテロシクロアルキル、アリール、置換アリール、ヘテロアリール、置換ヘテロアリール、アルコキシ、アリールオキシ、アシル、シリル、ボリル、ホスフィノ、アミノ、チオ、セレノ、又はその組み合わせからなる。）からなる請求項１に記載の方法。
【請求項１６】
前記アニオンが、ハロゲンである請求項１記載の方法。
【請求項１７】
前記イオン性液体が、1-アルキル-3-メチル-イミダゾリウムカチオンでありかつ前記アニオンが、Cl-、Br-、SCN-、PF6-又はBF4-からなる請求項１に記載の方法。
【請求項１８】
前記非溶媒が、極性液体からなる請求項１に記載の方法。
【請求項１９】
前記非溶媒が、アルコールからなる請求項１に記載の方法。
【請求項２０】
前記非溶媒が、水からなる請求項１に記載の方法。
【請求項２１】
多糖、ポリエステル、ポリアミド、ポリウレタン、ポリシロキサン、フェノールポリマー、ポリスルフィド、ポリアセタール、ポリオレフィン、アクリレート、メタクリレート、セルロース、ヘミセルロース、澱粉、キチン、絹、ウール、ポリビニルアルコール、ポリアニリン、ポリエチレングリコール、ポリアクリロニトリル、ポリスチレン及びジエンから選択される少なくとも２種の異なるポリマー材料及び１種以上のイオン性液体を含む混合物であって、前記イオン性液体が、１種以上のカチオン及び１種以上のアニオンからなることを特徴とする混合物。
【請求項２２】
少なくとも１種のポリマー材料が、多糖、ポリエステル、ポリアミド、ポリウレタン、ポリシロキサン、フェノールポリマー、ポリスルフィド、ポリアセタール、ポリオレフィン、アクリレート、メタクリレート又はジエンからなる請求項２１に記載の混合物。
【請求項２３】
少なくとも１種の前記ポリマー材料が、ヘミセルロース、澱粉、ポリ-2-ヒドロキシメチルメタクリレート、ポリアミド、ポリエステル、ポリイミドアミド、ポリベンゾイミド、アラミド、ポリイミド、ポリビニルアルコール、ポリアニリン、ポリエチレングリコール、ポリアクリロニトリル、末端アミン基を有するポリエチレンオキシド、直鎖ポリエチレンイミン又は分岐ポリエチレンイミンからなる請求項２１に記載の混合物。
【請求項２４】
少なくとも１種の前記ポリマー材料が、セルロースからなる請求項２１に記載の混合物。
【請求項２５】
前記ポリマー材料の数が、２でありかつ前記ポリマー材料の一方が、セルロースからなりかつ他方のポリマー材料が、ポリアクリロニトリル、PHEMA、ポリビニルアルコール、ポリアニリン又はポリエチレングリコールからなる請求項２１に記載の混合物。
【請求項２６】
少なくとも１種の前記ポリマー材料が、可塑剤、充填剤、着色剤、UV-遮断剤又は抗酸化剤を更に含む請求項２１に記載の混合物。
【請求項２７】
前記イオン性液体が、実質的に水又は窒素含有塩基を含まない請求項２１記載の混合物。
【請求項２８】
前記イオン性液体が、約２００℃未満の融点を有する請求項２１に記載の混合物。
【請求項２９】
前記カチオンが、ピラゾール、チアゾール、イソチアゾール、アザチオゾール、オキソチアゾール、オキサジン、オキサゾリン、オキサザボロール、ジチオゾール、トリアゾール、セレノゾール、オキサホスホール、ピロール、ボロール、フラン、チオフェン、ホスホール、ペンタゾール、インドール、インドリン、オキサゾール、イソオキサゾール、イソトリアゾール、テトラゾール、ベンゾフラン、ジベンゾフラン、ベンゾチオフェン、ジベンゾチオフェン、チアジアゾール、ピリジン、ピリミジン、ピラジン、ピリダジン、ピペラジン、ピペリジン、モルホロン、ピラン、アノリン、フタラジン、キナゾリン、キノキサリン、ピロリジン、又はその組み合わせからなる請求項２１に記載の混合物。
【請求項３０】
前記カチオンが、イミダゾリウムカチオンである請求項２１に記載の混合物。
【請求項３１】
前記カチオンが、キノリニウム又はイソキノリニウムカチオンである請求項２１に記載の混合物。
【請求項３２】
前記カチオンが、1,3-ジ-(C1-C6アルキル又はC1-C6アルコキシアルキル)-イミダゾリウムである請求項２１に記載の混合物。
【請求項３３】
前記カチオンが、1-(C1-C6アルキル)-3-メチル-イミダゾリウムである請求項２１に記載の混合物。
【請求項３４】
前記アニオンが、ハロゲン、BF4-、PF6-、AsF6-、SbF6-、NO2-、NO3-、SO42-、BR4-、置換又は未置換のカルボラン、置換又は未置換のメタロカルボラン、ホスフェート、ホスファイト、ポリオキソメタレート、置換又は未置換のカルボキシレート、トリフレート又は非配位アニオン（ここで、Rは、水素、アルキル、置換アルキル、シクロアルキル、置換シクロアルキル、ヘテロアルキル、ヘテロシクロアルキル、置換ヘテロシクロアルキル、アリール、置換アリール、ヘテロアリール、置換ヘテロアリール、アルコキシ、アリールオキシ、アシル、シリル、ボリル、ホスフィノ、アミノ、チオ、セレノ、又はその組み合わせからなる。）からなる請求項２１に記載の混合物。
【請求項３５】
前記アニオンが、ハロゲンである請求項２１に記載の混合物。
【請求項３６】
前記イオン性液体が、1-アルキル-3-メチルイミダゾリウムカチオンでありかつ前記アニオンが、Cl-、Br-、SCN-、PF6-、BF4-からなる請求項２１に記載の混合物。
【請求項３７】
更に非溶媒を含み、前記非溶媒が、前記イオン性液体を溶解するが、前記ポリマー材料を溶解しない請求項２１に記載の混合物。
【請求項３８】
前記非溶媒が、極性液体からなる請求項３７に記載の混合物。
【請求項３９】
前記非溶媒が、アルコールからなる請求項３７に記載の混合物。
【請求項４０】
前記非溶媒が、水からなる請求項３７に記載の混合物。
【請求項４１】
前記アニオンが、置換又は未置換のカルボキシレートからなる請求項１に記載の方法。
【請求項４２】
前記アニオンが、置換又は未置換のカルボキシレートからなる請求項１に記載の方法によって調製されるポリマー樹脂又はブレンド。
【請求項４３】
前記アニオンが、置換又は未置換のカルボキシレートからなる請求項２７に記載の混合物。